(57)【要約】【課題】外側に締結部材を全く露出させることがなく持ち運ばれる際の外観品位が損なわれることがない、電子機器を提供することである。【解決手段】開口を有するロアハウジング２０と、このロアハウジング２０に収容され機能部材を有する機能ユニットと、ロアハウジング２０の開口を覆うようにロアハウジングに取り付けられたアッパハウジングと、これらアッパハウジングとロアハウジングとを締結する締結部材と、アッパハウジングを覆うように設けられた複数のトップカバー３０，４０，５０とを具備し、上記締結部材は、アッパハウジング側からロアハウジング２０に締結され、すべての締結部材が上記トップカバー３０，４０，５０によって覆い隠されている。【選択図】    図７
2004234506.tif 000002
【特許請求の範囲】
【請求項１】
ロアハウジングと、
このロアハウジングに収容される機能ユニットと、
上記ロアハウジングに被さるように取り付けられたアッパハウジングと、
上記アッパハウジングと上記ロアハウジングとを締結するものであって、上記アッパハウジングを介して上記ロアハウジングに固定される複数の締結部材と、
上記アッパハウジングに取り付けられ、上記複数の締結部材覆う複数のトップカバーと、
を具備することを特徴とする電子機器。
【請求項２】
上記複数のトップカバーの少なくとも１つは、係合手段によって上記ロアハウジングに固定されていることを特徴とする請求項１に記載の電子機器。
【請求項３】
上記複数のトップカバーの少なくとも１つは、係合手段によって上記アッパハウジングに固定されていることを特徴とする請求項１もしくは２に記載の電子機器。
【請求項４】
上記複数のトップカバーの少なくとも２つは互いに端部が重なっていることを特徴とする請求項１ないし３のいずれか１に記載の電子機器。
【請求項５】
上記複数のトップカバーの１つはキーボードであることを特徴とする請求項１に記載の電子機器。
【請求項６】
ロアハウジングと、
上記ロアハウジングに被せられるとともに、第１および第２の領域と、これら第１および第２の領域の間に設けられるキーボード載置部とを有するアッパハウジングと、
上記第１および第２の領域において、上記アッパハウジングを介して上記アッパハウジングを上記ロアハウジングに締結する複数の締結部材と、
上記第１の領域および上記複数の締結部材の一部を覆うように上記アッパハウジングに結合される第１のカバーと、
一端と他端を有し、上記一端が上記第１のカバーと上記第１の領域との間に係合されるとともに、上記キーボード載置部に載置されるキーボードと、
上記第３の領域および上記複数の締結部材の一部を覆うように上記アッパハウジングに締結されるとともに、上記キーボードの他端を上記キーボード載置部との間に挟む第２のカバーと、
を具備することを特徴とする電子機器。
【請求項７】
上記第１のカバーはパームレストを形成することを特徴とする請求項６に記載の電子機器。
【請求項８】
上記第２の領域にはスイッチが設けられ、上記第２のカバーには、上記第２のカバーが上記第２の領域に結合された際、上記スイッチを操作する操作ボタンが設けられていることを特徴とする請求項６に記載の電子機器。
【請求項９】
ロアハウジングと、
上記ロアハウジングに被せられるとともに、第１および第２の領域と、これら第１および第２の領域の間に設けられるキーボード載置部とを有するアッパハウジングと、
上記第１および第２の領域において、上記アッパハウジングを介して上記アッパハウジングを上記ロアハウジングに締結する複数の締結部材と、
上記第１の領域および上記複数の締結部材の一部を覆う第１のカバーと、
上記キーボード載置部に載置されるキーボードと、
上記第３の領域および上記複数の締結部材の一部を覆う第２のカバーと、
を具備し、
上記第１のカバー、上記キーボード、上記第２のカバーの順に上記アッパハウジングに取り付けられることを特徴とする電子機器。
【請求項１０】
上記キーボードは一端及び他端を有し、上記キーボードの一端は上記第１のカバーと上記第１の領域との間に係合され、上記キーボードの他端は上記第２のカバーにより上記第２の領域との間に挟まれることを特徴とする請求項９に記載の電子機器。
【請求項１１】
上記キーボードの他端は上記第２の領域にねじ止めされ、上記第２のカバーは上記ねじを覆うことを特徴とする請求項１０に記載の電子機器。
【請求項１２】
上記アッパハウジングの上記キーボード載置部において上記アッパハウジングは上記複数の締結部材の一部により上記ロアハウジングに締結され、上記キーボードは上記キーボード載置部に載置された際上記締結部材の一部を覆うことを特徴とする請求項１１に記載の電子機器。
【発明の詳細な説明】
【０００１】
【発明の属する技術分野】
本発明は、電子機器の組み立て構造に関する。
【０００２】
【従来の技術】
一般に、携帯性を有する電子機器は、持ち運びが容易で、商用電源を得られないような外出先でも自由に使用できるといった利点を有している。従来、例えばポータブルコンピュータなどの電子機器は、キーボードや回路基板やハードディスク装置やＣＤ駆動装置やＤＶＤ駆動装置などの種々の機能部材を含む機能ユニットを収容したロアハウジングと、このロアハウジングの開口を閉じるように締結部材によってロアハウジングに締結されたトップカバーとを有しており、外部から見たときに締結部材が目立たないような構造を採用している。
【０００３】
このような電子機器は、例えば特開２００２−２３６５２３号公報に開示されている。この公報に開示されている電子機器はいわゆるブック型のポータブルコンピュータのような携帯が可能な情報処理装置である。この情報処理装置では、ハウジングの一部であるトップカバーや機能部材である複数枚の回路基板がハウジングの一部であるボトムケース、即ちロアハウジング、の底面側から挿入された締結部材としてのねじによって、ボトムケースに固定されている。また、上記回路基板上には機能部材であるカード収容部が形成されており、トップカバーとボトムケースとに囲まれたハウジングの内部空間中には機能部材であるハードディスク駆動装置やキーボード装置も収容されているが、キーボード装置のキーはトップカバーに形成されているキーボード装着口に露出されている。
【０００４】
このように構成情報処理装置は、そのハウジングが机上に置かれた状態では、ボトムケースの底面が机の表面に面しているので、締結部材としての上述したねじがハウジングの外側から見えない。
【０００５】
【特許文献１】
特開２００２−２３６５２３号公報。
【０００６】
【発明が解決しようとする課題】
しかし、ポータブルコンピュータのような携帯性を有する電子機器は、必ずしも机上に置かれたままではなく、使用者によってしばしば持ち運ばれる。この際、電子機器は鞄などに入れられず、それ自身だけで使用者に持ち運ばれることが少なくない。従って使用者によりこのように携帯されている電子機器のハウジングのボトムケースの底面も人目に触れる機会が多い。ハウジングのボトムケースの底面には上述したように締結部材としてのねじの頭が露出しているし、電子機器が多数の機能部材が高密度でハウジング中に収容されているポータブルコンピュータの場合、締結部材の数が多いので、上述した如く使用者に持ち運ばれる間の外観品位が損なわれている。
【０００７】
この発明は上述したような事情の下でなされ、本発明の目的は、筐体外部に締結部材を極力露出させることなく外観の良好な電子機器を提供することである。
【０００８】
【課題を解決するための手段】
上述したこの発明の目的を解決するために、本発明の請求項１に係る電子機器は、ロアハウジングと、このロアハウジングに収容される機能ユニットと、ロアハウジングに被さるように取り付けられたアッパハウジングと、アッパハウジングとロアハウジングとを締結するものであって、アッパハウジングを介してロアハウジングに固定される複数の締結部材と、アッパハウジングに取り付けられ、複数の締結部材覆う複数のトップカバーと、を具備することを特徴とする。
【０００９】
請求項６に係る電子機器は、ロアハウジングと、ロアハウジングに被せられるとともに、第１および第２の領域と、これら第１および第２の領域の間に設けられるキーボード載置部とを有するアッパハウジングと、第１および第２の領域において、アッパハウジングを介してアッパハウジングをロアハウジングに締結する複数の締結部材と、第１の領域および複数の締結部材の一部を覆うようにアッパハウジングに結合される第１のカバーと、一端と他端を有し、一端が第１のカバーと第１の領域との間に係合されるとともに、キーボード載置部に載置されるキーボードと、第３の領域および複数の締結部材の一部を覆うようにアッパハウジングに締結されるとともに、キーボードの他端をキーボード載置部との間に挟む第２のカバーと、を具備することを特徴とする。
【００１０】
請求項９に係る電子機器は、ロアハウジングと、ロアハウジングに被せられるとともに、第１および第２の領域と、これら第１および第２の領域の間に設けられるキーボード載置部とを有するアッパハウジングと、第１および第２の領域において、アッパハウジングを介してアッパハウジングをロアハウジングに締結する複数の締結部材と、第１の領域および複数の締結部材の一部を覆う第１のカバーと、キーボード載置部に載置されるキーボードと、第３の領域および複数の締結部材の一部を覆う第２のカバーと、を具備し、第１のカバー、キーボード、第２のカバーの順にアッパハウジングに取り付けられることを特徴とする。
【００１１】
このような構成において、筐体外部に締結部材を極力露出させることなく外観の良好な電子機器を提供することが可能である。
【００１２】
【発明の実施の形態】
以下に、添付の図面を参照して、本発明の一実施の形態を詳細に説明する。
【００１３】
図１には、本発明の一実施の形態に係る電子機器１の全体の斜視図が示されている。本実施の形態において、電子機器１は所謂ラップトップ型のポータブルコンピュータである。この電子機器１は、ほぼ扁平な箱形である本体部２と、本体部２に開閉可能に連結された表示装置３とを備えている。本体部２は、長手方向である幅方向Ｗと、この幅方向Ｗと直交する奥行方向Ｄとを有する。
【００１４】
本体部２は、図１における上方に向かい開口した扁平な箱形であるロアハウジング２０を有している。ロアハウジング２０には機能部材を有する機能ユニットが収容されているとともに、ロアハウジング２０の上面は図１における前端部側から順に、トップカバーの１つであるパームレスト（第１のカバー）３０、キーボード４０、保持カバー（第２のカバー）５０により覆われている。パームレスト３０，キーボード４０、そして保持カバー５０の夫々は、ロアハウジング２０の幅方向の略全域に渡り延出している。上述した機能ユニットの機能部材には、キーボード４０により入力されたデータを処理するデータ処理装置（図示されていない）が含まれている。そして、表示装置３の表示画面４はこのデータ処理装置により処理されたデータから発生された情報を表示する。
【００１５】
なおこの実施の形態において表示装置３は液晶表示ユニットを使用しているが、プラズマ表示ユニットや陰極線管やその他の種々の方式の表示ユニットを使用することも出来る。
【００１６】
また、図１におけるロアハウジング２０の後端縁６０は、幅方向Ｗに所定の距離離間した２つの支持脚６０ａ，６０ｂを有する。これら支持脚６０ａ，６０ｂは、ヒンジ金具などの通常の手段によって、本体部２に対し表示装置３を開閉可能に支持して連結している。
【００１７】
したがって、表示装置３は、支持脚６０ａ，６０ｂの回動軸を中心として、本体部２に対し開位置と閉位置との間で開閉可能であり、表示装置３が開位置に配置されている時には図１中に示されているように表示装置３の表示画面４及び本体部２の上面のパームレスト３０やキーボード４０を外部空間に露出させており、表示装置３が上記回動軸を中心として図１に示されている開位置から本体部２の上面に向かい倒されて本体部２の上面を覆う閉位置に配置された時には本体部２の上面のパームレスト３０やキーボード４０とともに表示装置３の表示画面４が外部空間から閉ざされる。
【００１８】
パームレスト３０のほぼ中央には、タッチパネル３２と、操作ボタン３４とが配置されている。保持カバー５０には、スピーカー孔５０ａと、電源ボタン５０ｂを含む複数の操作ボタンが配置されている。
【００１９】
次に図２ないし図７を参照しながら、図１に外観が示されていた本発明の一実施の形態に係る電子機器１の本体部２の組み立て過程を段階的に説明する。
【００２０】
図２にはロアハウジング２０のみの斜視図が示されており、ロアハウジング２０は、略矩形状の平面形状を有している底面壁２０ａと、底面壁２０ａの４つの外周縁部から上方に起立した外周壁２０ｂ〜２０ｅと、を有する上方に開口した箱形を有する。底面壁２０ａには複数の仕切り壁２０ｆが形成されており、これら仕切り壁２０ｆによって底面壁２０ａの上面に規定された複数の収納スペースに、前述のデータ処理装置や、その他の例えばバッテリやディスク駆動装置などの種々の機能部材が収納される。
【００２１】
ロアハウジング２０の底面壁２０ａの複数の所定の位置にはさらに底面壁２０ａから上方に向かって突出した複数のボス部２２が形成されており、これらボス部２２の夫々には上方に開口したねじ挿通孔２２ａが形成されている。この実施の形態において、複数のボス部２２は、ロアハウジング２０の底面壁２０ａにおいて外周壁２０ｂ〜２０ｅの内周面に隣接した部分と仕切り壁２０ｆの壁面に隣接した部分とに分散して配置されている。即ち、複数のボス部２２は、ロアハウジング２０の底面壁２０ａ上に規定されている複数の収納スペースの夫々の容量を出来る限り削減しないように配置されている。
【００２２】
ロアハウジング２０の前端部に位置している外周壁２０ｂとロアハウジング２０において幅方向Ｗに対向している２つの外周壁２０ｃ，２０ｄには、複数の係合爪２４が形成されている。
【００２３】
ロアハウジング２０の底面壁２０ａ上に規定されている複数の収納スペース中に前述した如き図示されていない種々の機能部材が配置された後には、図３に示されているように、ロアハウジング２０の上方を向いた開口を覆うように、上記上方を向いた開口に平板状のハウジングカバー２６が被せられる。ハウジングカバー２６は、しかしながら、ロアハウジング２０の複数の係合爪２４を外部空間に露出させている。
【００２４】
ハウジングカバー２６には、ロアハウジング２０の底面壁２０ａ上の複数のボス部２２のねじ挿通孔２２ａに対応した位置に、複数の貫通孔２６ａが形成されている。
【００２５】
次に図４に示されているように、ハウジングカバー２６の上面にアッパハウジング７０が被せられる。アッパハウジング７０は、ロアハウジング２０の底面壁２０ａの外周縁部とほぼ同じ平面形状の外周縁部７０ａ〜７０ｄを有するが、ロアハウジング２０の複数の係合爪２４を外部空間に露出させている。アッパハウジング７０には、ロアハウジング２０の底面壁２０ａ上の複数のボス部２２のねじ挿通孔２２ａ及びハウジングカバー２６の複数の貫通孔２６ａと連通する複数の締結孔７０ｅが形成されている。
【００２６】
そして、締結孔７０ｅにはアッパハウジング７０の側から締結部材の一種である図示されていないねじが挿入され、このねじの先端部は、ハウジングカバー２６の対応している貫通孔２６ａを介してロアハウジング２０の底面壁２０ａ上の対応しているボス部２２のねじ挿通孔２２ａに到達した後にねじ挿通孔２２ａに螺合される。これによって、ロアハウジング２０，ハウジングカバー２６，並びにアッパハウジング７０は、前述した種々の機能部材をロアハウジング２０に収容した状態で相互に一体的に固定される。
【００２７】
複数の締結孔７０ｅの夫々の上端に対応しているアッパハウジング７０の上面の部分はアッパハウジング７０の上面において上記部分を取り囲んでいる他の部分よりも低く形成されている。したがって、締結部材の一種であるねじが締結孔７０ｅに締結されても、ねじの頭がアッパハウジング７０の上面の上記他の部分よりも上方に突出しない。
【００２８】
図４から分かるように、アッパハウジング７０の上面には、幅方向Ｗとほぼ平行に幅方向Ｗにおける上記上面の全域にわたり延出する第１及び第２の仕切り壁７２ａ，７２ｂが奥行方向Ｄに所定距離相互に離れて形成されている。
【００２９】
そして、アッパハウジング７０の上面には、前端側の外周縁部７０ａと、これと奥行方向Ｄにおいて対向する前端側の第１の仕切り壁７２ａと、幅方向Ｗにおいて互いに対向する２つの外周縁部７０ｂ，７０ｄと、によって第１の領域７４が規定されているとともに、アッパハウジング７０の上面にはさらに、後端側の第２の仕切り壁７２ｂ及びこれと奥行方向Ｄにおいて対向する後端側の外周縁部７０ｃと、幅方向Ｗにおいて互いに対向する２つの外周縁部７０ｂ，７０ｄと、によって第２の領域７８が規定されている。さらに、幅方向Ｗにおいて互いに対向する２つの外周縁部７０ｂ，７０ｄと、奥行方向Ｄにおいて互いに対向する第１及び第２の仕切り壁７２ａ，７２ｂと、によって第３の領域（キーボード載置部）７６が規定されている。上記上面の第３の領域７６は、第１及び第２の領域７４，７８に対して窪んでいる。
【００３０】
第３の領域７６において第１の仕切り壁７２ａに隣接し幅方向Ｗに所定の距離離間した２つの位置に２つの係合孔７２ｃ，７２ｄが形成されており、第２の領域７８において第２の仕切り壁７２ｂに隣接し幅方向Ｗに所定の距離離間した２つの位置には２つの載置用の凹所７２ｅ，７２ｆが形成されている。これら２つの凹部７２ｅ，７２ｆは、第３の領域７６と同じ面内で第３の領域７６に連通している。
【００３１】
第２の領域７８にはさらに、互いに幅方向Ｗに所定の距離離間して２つの音響用の開口７８ａが形成されている。また、第２の仕切り７２ｂと第２の領域７８において後端側の外周縁部７０ｃに隣接した部分の夫々には、幅方向Ｗに互いに所定の距離離間している複数の係合孔７８ｂが形成されている。また、第２の領域には図示しないスピーカー、電源スイッチ等のスイッチが配置されている。
【００３２】
次には、図５に示されているように、トップカバーの一部であるパームレスト３０が、アッパハウジング７０の第１の領域７４に被せられる。パームレスト３０は、ロアハウジング２０の前端部側の外周壁２０ｂ及び幅方向Ｗの外周壁２０ｃ，２０ｅに形成されている複数の係合爪２４に係合されることによってロアハウジング２０の前端部に固定される。このように固定されたパームレスト３０は、アッパハウジング７０の第１の領域７４中に配置されている締結孔７０ｅに挿入された図示されていないねじの頭を覆い隠している。すなわち、アッパハウジング７０の第１の領域７４においてアッパハウジング７０をロアハウジング２０に締結している上述した図示されていないねじの頭はパームレスト３０により覆い隠されている。
【００３３】
次には、図６に示されているように、この実施の形態におけるデータの入力装置であるキーボード４０が、アッパハウジング７０の第３の領域７６に被せられる。キーボード４０は、アッパハウジング７０の第１の領域７４に隣接した前端部とアッパハウジング７０の第２の領域７８に隣接した後端部のそれぞれに幅方向Ｗに互いに所定の距離離間して２つの係合片４０ａ（後端部の２つの係合片４０ａのみが図示されている）を有する。これら係合片４０ａは、キーボード４０の前端部及び後端部から奥行方向Ｄに遠ざかるよう突出している。
【００３４】
アッパハウジング７０の上面の第３の領域７６へのキーボード４０の配置は、まず最初に、キーボード４０の前端部を、すでにロアハウジング２０に前端部に前述したように固定されているパームレスト３０の後端部に突き合わせるとともに、キーボード４０の後端部を第３の領域７６から上方に浮かせた状態にし、キーボード４０を第３の領域７６に対して所定の角度傾斜させる。この状態で、キーボード４０の前端部の２つの係合片４０ａを、アッパハウジング７０の上面の第３の領域７６の前端部を規定している第１の仕切り壁７２ａ（図４参照）の２つの係合孔７２ｃ，７２ｄ（図４参照）に差し込む。次にキーボード４０の後端部を第３の領域７６の前端部に向かい下降させ、キーボード４０の後端部の２つの係合片４０ａを、第３の領域７６の後端部を規定している第２の仕切り壁７２ｂに形成されている２つの凹所７２ｅ，７２ｆに落とし込む。この状態でキーボード４０は、第３の領域７６中に配置されている締結孔７０ｅに締結されているねじの頭を覆い隠している。また、第１の仕切り壁７２ａ（図４参照）の２つの係合孔７２ｃ，７２ｄ（図４参照）に差し込まれたキーボード４０の前端部の２つの係合片４０ａは、パームレスト３０の後端部により覆い隠されている。即ち、この実施の形態ではキーボード４０もまたアッパハウジング７０をロアハウジング２０に締結している締結部材の一部を覆い隠しているトップカバーの一部である。
【００３５】
最後に、図７に示されているように、ロアハウジング２０の上面の後端部側の第２の領域７８に保持カバー５０が被せられる。保持カバー５０は、図６中に示されている如く、ロアハウジング２０の第２の領域７８において後端側の第２の仕切り７２ｂと後端側の外周縁部７０ｃに隣接した部分の夫々に形成されている複数の係合孔７８ｂに図示しない自身の複数の係合爪を係合させることよって第２の領域７８に固定される。この状態で保持カバー５０は、アッパハウジング７０の第２の領域７８に配置されている締結孔７０ｅに締結されているねじの頭を覆い隠している。また、第２の仕切り壁７２ｂ（図４参照）の２つの凹所７２ｅ，７２ｆに落とし込まれているキーボード４０の後端部の２つの係合片４０ａは、保持カバー５０により覆い隠されている。
【００３６】
この実施の形態では、保持フレーム７０の上面の第３の領域７６に配置されたキーボード４０の前端部と後端部の夫々の係合片４０ａは保持フレーム７０の上面の第３の領域７６や第２の領域７８はもちろんのこと、保持フレーム７０よりも下方のハウジングカバー２６やロアハウジング２０にも、ねじ等の締結部材により締結されていない。この場合、キーボード４０の前端部と後端部の夫々又は少なくとも一方の２つの係合片４０ａは、保持フレーム７０の上面の第１の領域７４を覆っているパームレスト３０の後端部及び上記上面の第２の領域７８を覆っている保持カバー５０により上方から、第１の仕切り壁７２ａ（図４参照）の２つの係合孔７２ｃ，７２ｄ（図４参照）や第３の領域７６の後端部を規定している第２の仕切り壁７２ｂに形成されている２つの凹所７２ｅ，７２ｆ中に固定されている。
【００３７】
しかしながら、キーボード４０の前端部と後端部の夫々又は少なくとも一方の２つの係合片４０ａを保持フレーム７０の上面の第３の領域７６や第２の領域７８はもちろんのこと、保持フレーム７０よりも下方のハウジングカバー２６やロアハウジング２０にねじ等の締結部材により締結することも出来る。このような場合でも、キーボード４０の前端部と後端部の夫々又は少なくとも一方の２つの係合片４０ａの上述した如き締結の為に使用されたねじ等の締結部材の頭は、前述した如く、キーボード４０の前端部と後端部の夫々又は少なくとも一方の２つの係合片４０ａが保持フレーム７０の上面の第１の領域７４を覆っているパームレスト３０の後端部及び上記上面の第２の領域７８を覆っている保持カバー５０により覆われているので、外部空間から見られることがない。
【００３８】
また、保持カバー５０を第２の領域７８に結合された際、保持カバー７８に設けられているスピーカー孔５０ａおよび電源ボタン５０ｂは、第２の領域７８に位置している図示しないスピーカーおよび電源スイッチとそれぞれ対向し、スピーカーからの音の放出および電源スイッチの操作を可能としている。
【００３９】
図２乃至図７を参照しながら上述したようにして、本実施の形態における本体部２が組み立てられる。ここにおいて、アッパハウジング７０はロアハウジング２０に対しアッパハウジング７０の側からのみ締結部材により締結されているが、アッパハウジング７０に露出している締結部材は、機能ユニットの一部で外部空間に露出されている機能部材を構成しているキーボード４０により外部空間から覆い隠されている以外は、トップカバーの一部であるパームレスト３０並びに保持カバー５０によって完全に隠されているので、電子機器１を外部空間のどの方向から見ても、締結部材を見ることは出来ない。
【００４０】
尚、本実施の形態において、トップカバーの一部であるパームレスト３０はロアハウジング２０の複数の係合爪２４によりロアハウジング２０に取り付けられ、入力装置であるとともに機能ユニットの機能部材の一部であるキーボード４０はアッパハウジング７０上にトップカバーの一部であるパームレスト３０とトップカバーの一部である保持カバー５０とによって固定され、また、保持カバー５０はそれ自身が有している図示しない係合爪によりアッパハウジング７０に固定されているが、これらパームレスト３０やキーボード４０や保持カバー５０をロアハウジング３０やアッパハウジング７０に取り付けたり固定したりする構造は、これら取り付けたり固定したりする構造が外部空間から覆い隠されていて見ることが出来ないことを条件にして、上述した以外の種々の構造に限定されない。
【００４１】
また、パームレスト３０が、アッパハウジング７０にのみに取り付けられていても良いし、ロアハウジング３０及びアッパハウジング７０の両者に取り付けられていても良い。保持カバー５０は、ロアハウジング３０にのみ固定されていても良いし、ロアハウジング３０及びアッパハウジング７０の両者に固定されていても良い。
【００４２】
【発明の効果】
以上のように、本発明の電子機器によれば、筐体外部に締結部材を極力露出させることなく外観の良好な電子機器を提供することが可能である。
【図面の簡単な説明】
【図１】図１は、本発明の一実施の形態に係る電子機器の全体を示す斜視図である。
【図２】図２は、図１の電子機器の本体部のロアハウジングのみを示す斜視図である。
【図３】図３は、図２のロアハウジングに種々の機能部材が収容された後に種々の機能部材を覆うようハウジングカバーが図２のロアハウジングに取り付けられた状態を示す斜視図である。
【図４】図４は、図３のハウジングカバーを覆うようアッパハウジングがロアハウジングの上部開口に被せられアッパハウジングの側からロアハウジングに図示しない締結部材により締結された状態を示す斜視図である。
【図５】図５は、トップカバーの一部であるパームレストが図４のアッパハウジングの前端側の領域に対しこの領域の締結部材を覆い隠すよう被せられロアハウジングの前端部に取り付けられた状態を示す斜視図である。
【図６】図６は、機能部材の一部であるキーボードが図４のアッパハウジングの前端側と後端側との間の中間領域に対しこの領域の締結部材を覆い隠すよう被せら取り付けられた状態を示す斜視図である。
【図７】図７は、トップカバーの一部である保持カバーが図４のアッパハウジングの後端側の領域に対しこの領域の締結部材を覆い隠すよう被せられロアハウジングの後端部に取り付けられて図１の電子機器の本体部が完全に組み立てられた状態を示す斜視図である。
【符号の説明】
１…電子機器、２…本体部、３…表示装置、４…表示画面、２０…ロアハウジング、３０…パームレスト（トップカバー）、４０…キーボード（機能部材：トップカバー）、５０…保持カバー（トップカバー）、７０…アッパハウジング、７４…第１の領域、７６…第３の領域（キーボード載置部）、７８…第２の領域
【図１】
2004234506.tif 000003
【図２】
2004234506.tif 000004
【図３】
2004234506.tif 000005
【図４】
2004234506.tif 000006
【図５】
2004234506.tif 000007
【図６】
2004234506.tif 000008
【図７】
2004234506.tif 000009